(57)【要約】      （修正有）【課題】使用頻度の高い書類の出し入れを容易にすると共に、使用頻度の低い書類、小物等の紛失又は破損を防止して管理しやすくできるファイルバッグを提供する。【解決手段】本体１が、書類を収納する第１の収納部を有し、第１の収納部の開口部に折り返し部１１を設け、本体１の背面の略全面に一つの長辺と一つの短辺を開口する第２の収納部（ホルダー部）２を備え、使用頻度の高い書類は第２の収納部２に収納して出し入れを容易にし、使用頻度の低い書類、小物等は第１の収納部に収納して折り返し部１１を閉状態にしてスナップボタンを止めて紛失又は破損を防止する。【選択図】図２
0003228488.tif 000002
【実用新案登録請求の範囲】
【請求項１】
複数の書類を収納可能な長方形のファイルバッグであって、
一辺の開口部を備え、前記書類を収納する第１の収納部を有する本体と、
前記開口部を覆うように設けられ、前記本体の正面側に折り返される折り返し部と、
前記本体の背面の略全面に、一つの長辺と一つの短辺に開口部を備え、前記書類を収納する第２の収納部とを有することを特徴とするファイルバッグ。
【請求項２】
折り返し部に凸型又は凹型のスナップボタンが設けられ、
前記折り返し部が折り返されて本体の正面に接する場合に、前記スナップボタンに対応する前記正面の位置に凹型又は凸型のスナップボタンが設けられていることを特徴とする請求項１記載のファイルバッグ。
【請求項３】
第１の収納部の開口部と第２の収納部のいずれかの開口部とが同じ方向に開口していることを特徴とする請求項１又は２記載のファイルバッグ。
【請求項４】
第１の収納部及び第２の収納部は、Ａ４サイズの書類を収納可能であり、
前記第１の収納部の開口部を長辺に備え、
前記第２の収納部の表面を透明又は半透明の部材としたことを特徴とする請求項１乃至３のいずれか記載のファイルバッグ。
【請求項５】
第２の収納部は、表面と裏面とを備え、前記表面と前記裏面との間、及び前記裏面と第１の収納部の背面との間の２箇所で書類が収納されることを特徴とする請求項１乃至４のいずれか記載のファイルバッグ。
【考案の詳細な説明】
【技術分野】
【０００１】
本考案は、書類を収納するファイルケース型のファイルバッグに係り、特に、クリアホルダーを備えて利便性を向上させたファイルバッグに関する。
【背景技術】
【０００２】
［先行技術の説明］
従来の携帯用のファイルケースは、蓋となる折り返し部分にスナップボタンを備えて、折り返し部分を開閉して使用するものがあった。
また、従来のファイルケースにおいて、マチを形成して幅を持たせ、厚みのある物を収納可能としたものがあった。
【０００３】
［関連技術］
尚、関連する先行技術としては、特開２０１５−０３３８４２号公報「バインダー付きケース」（特許文献１）、実開昭６１−０４３０８５号公報「書類ケース」（特許文献２）、実開平０３−０６７１２５号公報「書類ケース付鞄」（特許文献３）がある。
【０００４】
特許文献１には、書類ケースの裏面にバインダー本体とバインダー留め金具を設けた構成が記載されている。
特許文献２には、ファスナー式の書類ケースに透明の小型のポケットを設けた構成が記載されている。
特許文献３には、取っ手のある鞄のサイドに出っ張りのあるポケット部を設け、その一部が透明となっている構成が記載されている。
【先行技術文献】
【特許文献】
【０００５】
【特許文献１】特開２０１５−０３３８４２号公報
【特許文献２】実開昭６１−０４３０８５号公報
【特許文献３】実開平０３−０６７１２５号公報
【考案の概要】
【考案が解決しようとする課題】
【０００６】
しかしながら、従来のファイルケース又はファイルバッグでは、使用頻度の高い書類と使用頻度の低い書類とを区別して、使用頻度の高い書類の出し入れを容易にするものとはなっておらず、更に、小物等の紛失を防止して小物の管理をしやすくするものとはなっていないという問題点があった。
【０００７】
尚、特許文献１〜３には、ケース、書類ケース、鞄側面全体にクリアホルダーを設ける構成は記載されていない。
【０００８】
本考案は上記実状に鑑みて為されたもので、使用頻度の高い書類と使用頻度の低い書類とを区別して、使用頻度の高い書類の出し入れを容易にすると共に、小物等の紛失又は破損を防止して管理しやすくできるファイルバッグを提供することを目的とする。
【課題を解決するための手段】
【０００９】
上記従来例の問題点を解決するための本考案は、複数の書類を収納可能な長方形のファイルバッグであって、一辺の開口部を備え、書類を収納する第１の収納部を有する本体と、開口部を覆うように設けられ、本体の正面側に折り返される折り返し部と、本体の背面の略全面に、一つの長辺と一つの短辺に開口部を備え、書類を収納する第２の収納部とを有することを特徴とする。
【００１０】
本考案は、上記ファイルバッグにおいて、折り返し部に凸型又は凹型のスナップボタンが設けられ、折り返し部が折り返されて本体の正面に接する場合に、スナップボタンに対応する正面の位置に凹型又は凸型のスナップボタンが設けられていることを特徴とする。
【００１１】
本考案は、上記ファイルバッグにおいて、第１の収納部の開口部と第２の収納部のいずれかの開口部とが同じ方向に開口していることを特徴とする。
【００１２】
本考案は、上記ファイルバッグにおいて、第１の収納部及び第２の収納部が、Ａ４サイズの書類を収納可能であり、第１の収納部の開口部を長辺に備え、第２の収納部の表面を透明又は半透明の部材としたことを特徴とする。
【００１３】
本考案は、上記ファイルバッグにおいて、第２の収納部が、表面と裏面とを備え、表面と裏面との間、及び裏面と第１の収納部の背面との間の２箇所で書類が収納されることを特徴とする。
【考案の効果】
【００１４】
本考案によれば、長方形のファイルバッグであって、本体が、一辺の開口部を備え、書類を収納する第１の収納部を有し、折り返し部が、開口部を覆うように設けられ、本体の正面側に折り返されるものであり、第２の収納部が、本体の背面の略全面に、一つの長辺と一つの短辺に開口部を備え、前記書類を収納するものとしているので、使用頻度の高い書類は第２の収納部に収納して出し入れを容易にし、使用頻度の低い書類及び小物は折り返し部を備える第１の収納部に収納して紛失又は破損を防止できる効果がある。
【図面の簡単な説明】
【００１５】
【図１】本ファイルバッグの正面図である。
【図２】本ファイルバッグの背面図である。
【図３】本ファイルバッグの第１の収納部を開状態とした説明図である。
【考案を実施するための形態】
【００１６】
本考案の実施の形態について図面を参照しながら説明する。
［実施の形態の概要］
本考案の実施の形態に係るファイルバッグ（本ファイルバッグ）は、書類を収納する第１の収納部を有する本体と、第１の収納部の開口部に設けられた折り返し部と、本体の背面の略全面に一つの長辺と一つの短辺を開口する第２の収納部（ホルダー部）とを備えたものであり、使用頻度の高い書類はホルダー部に収納して出し入れを容易にし、使用頻度の低い書類及び小物は折り返し部を備える第１の収納部に収納して紛失又は破損を防止できるものである。
【００１７】
［本ファイルバッグ：図１〜３］
本ファイルバッグについて図１〜３を参照しながら説明する。図１は、本ファイルバッグの正面図であり、図２は、本ファイルバッグの背面図であり、図３は、本ファイルバッグの第１の収納部を開状態とした説明面ある。
本ファイルバッグは、図１〜３に示すように、基本的には、第１の収納を備える本体１と、本体１の背面に設けられる第２の収納部（ホルダー部）２とから構成されている。
尚、収納する書類は、Ａ４サイズとしているので、本ファイルバッグはＡ４サイズより大きめの形状となっている。
【００１８】
本ファイルバッグの正面は、図１に示すように、長方形で内側に第１の収納部を有する本体１と、第１の収納部の開口部を覆う折り返し部１１と、折り返し部１１に設けられたスナップボタン１２とを備えている。
また、本ファイルバッグの背面は、図２に示すように、本体１の背面の略全面に第２の収納部２を備えている。
【００１９】
［本ファイルバッグの各部］
次に、本ファイルバッグの各部について具体的に説明する。
［本体１］
本体１は、図１，３に示すように、表面と裏面を、開口部１４を除いて端辺が閉じて第１の収納部１５を形成している。尚、図３の矢印が書類等の挿入方向である。
具体的には、本体１の２つの短辺と、開口部１４が設けられる長辺とは別の長辺とで本体１の表面と裏面とを閉じているものである。
尚、上記長辺での閉じ方は、本体１での素材を折り曲げたものであり、２つの短辺の固定は、端辺を圧着処理したものである。
【００２０】
［折り返し部１１］
折り返し部１１は、裏面の開口部１４の端辺に接続し、開口部１４を覆うように表面（正面）側に折り返される。
また、折り返し部１１は、開閉しやすいように略三角形状となっている。
折り返し部１１が開状態で、書類や小物を出し入れし、閉状態で開口部１４に蓋をすることになるので、書類や小物がはずみで飛び出ることがない。
【００２１】
［スナップボタン１２，１３］
折り返し部１１の三角形状の頂点付近に凹型のスナップボタン１２が設けられ、折り返し部１１を閉状態にした場合に、スナップボタン１２に対応する正面の位置に凸型のスナップボタン１３が設けられている。
尚、折り返し部１１の方に凸型のスナップボタンを設け、正面に凹型のスナップボタンを設けてもよい。
更に、スナップボタンの代わりに面ファスナーを用いてもよい。
【００２２】
凹型のスナップボタン１２が凸型のスナップボタン１３にはめ込まれることにより、スナップボタン１２，１３が固定されるので、折り返し部１１が閉状態でスナップボタン１２，１３が固定されていれば、開口部１４が下側に向いても書類や小物が第１の収納部１５から出てきて落下することがない。
【００２３】
［第２の収納部２］
第２の収納部２は、図２に示すように、本体１の裏面（背面）の略全面に形成されるホルダー部であり、一つの長辺と一つの短辺とを開口して開口部を形成し、書類の出し入れを行うものである。
第２の収納部２は、本体１の背面より若干小さくはみ出さないようになっている。
【００２４】
具体的には、折り返し部１１が接続する側（図２の右側）の長辺を開口し、図２では上側の短辺を開口している。このように開口部を備える構成とすることで、右側から書類を挿入しやすくしたもので、一般的なクリアファイル（クリアホルダー）と同じ構成としている。
【００２５】
第２の収納部２は、透明素材又は半透明素材の表面２１と、本体１の背面に貼り付けられる裏面２２とで構成され、図２の左側の長辺と図２の下側の短辺が固定されて開口しないものである。
尚、裏面２２を設けず、表面２１を本体１の正面に取り付けてもよいが、裏面２２を設けることで、表面２１と裏面２２との間に書類を収納でき、更に裏面２２と本体１の背面との間に別の書類を収納できる。つまり、第２の収納部２では２箇所の書類の収納部を有するものである。
【００２６】
また、第２の収納部２の長辺の開口部の上側に２つのカット部２３ａ，２３ｂを形成している。このカット部２３ｂを押さえることで、第２の収納部２の表面２１をめくりやすくし、カット部２３ａを押さえることで、第２の収納部２の裏面２２をめくりやすくして、書類の挿入を容易にするものである。
カット部２３ａは、表面２１と裏面２２の同じ位置に形成されるが、カット部２３ｂは、表面２１には形成するが、裏面２２には形成していない。
【００２７】
［使用方法］
本ファイルバッグは、使用頻度の高い書類を第２の収納部２に収納して取り出しやすくし、使用頻度の低い書類、小物を本体１の第１の収納部１５に収納して、折り返し部１１を閉状態にしてスナップボタン１２，１３で止めれば、第１の収納部１５の開口部１４が下を向いても書類、小物が落下することがない。
【００２８】
［応用例］
本ファイルバッグでは、第１の収納部１５の開口部１４を長辺に形成したが、短辺に形成してもよい。その場合、折り返し部１１も短辺に形成され、当該折り返し部１１が形成される短辺に、第２の収納部２の開口する短辺が形成されるようにする。
【００２９】
［実施の形態の効果］
本ファイルバッグによれば、書類を収納する第１の収納部１５を有する本体１と、第１の収納部１５の開口部１４に設けられた折り返し部１１と、本体１の背面の略全面に一つの長辺と一つの短辺を開口する第２の収納部２とを備えたものとしているので、使用頻度の高い書類は第２の収納部２に収納して出し入れを容易にし、使用頻度の低い書類及び小物は折り返し部１１を備える第１の収納部１５に収納して紛失又は破損を防止できる効果がある。
【産業上の利用可能性】
【００３０】
本考案は、使用頻度の高い書類と使用頻度の低い書類とを区別して、使用頻度の高い書類の出し入れを容易にすると共に、使用頻度の低い書類、小物等の紛失又は破損を防止して管理しやすくできるファイルバッグに適している。
【符号の説明】
【００３１】
１…本体、  ２…第２の収納部（ホルダー部）、  １１…折り返し部、  １２，１３…スナップボタン、  １４…開口部、  １５…第１の収納部、  ２１…表面、  ２２…裏面、  ２３ａ，２３ｂ…カット部
【図１】
0003228488.tif 000003
【図２】
0003228488.tif 000004
【図３】
0003228488.tif 000005